(57)【要約】【課題】舗装道路と排水設備構成体との境界部分に舗装道路の排水経路の入口を設定できる排水設備の排水設備構成体、および、舗装道路の施工方法を提供する。【解決手段】側溝ブロック１の外側面に、排水流路側に向けて肉厚方向の途中まで窪ませて上面側および外面側が開口した集水流入空間部５を形成し、該集水流入空間部を、排水流路に連通させ、水の流入を許容する一方、舗装材の侵入を阻止する通水孔が開設されたフィルター部材１２を、集水流入空間部の外面側開口を塞ぐ状態で側溝ブロックの外側面に装着することで、該集水流入空間部の上部に、水を受け入れ可能な集水流入口８が形成されるように構成し、当該集水流入口が舗装道路の路面に露出するようにした。【選択図】図３
2013234466.tif 000002
【特許請求の範囲】
【請求項１】
排水流路を内部に有し、該排水流路に舗装道路上の水を流入させる排水設備構成体であって、
該排水設備構成体の外側面に、前記排水流路側に向けて肉厚方向の途中まで窪ませて上面側および外面側が開口した集水流入空間部を形成し、
該集水流入空間部を、前記排水流路に連通させ、
水の流入を許容する一方、舗装材の侵入を阻止する通水孔が開設されたフィルター部材を、前記集水流入空間部の外面側開口を塞ぐ状態で排水設備構成体の外側面に装着することで、該集水流入空間部の上部に、水を受け入れ可能な集水流入口が形成されるように構成し、
当該集水流入口が前記舗装道路の路面に露出するようにしたことを特徴とする排水設備構成体。
【請求項２】
前記集水流入空間部の上部に、複数の突起部を互いに間隔を空けて横並びで形成して、複数の集水流入口が形成されるように構成し、
前記集水流入空間部の両側面部と突起並設方向の両端部に位置する突起部との間隔、および、隣り合う突起部同士の間隔を、水の流入を許容する一方、舗装材の侵入を阻止する寸法に設定したことを特徴とする請求項１に記載の排水設備構成体。
【請求項３】
前記請求項１または請求項２に記載の排水設備構成体を含んで構成される排水設備を備えた舗装道路の施工方法であって、
前記排水設備構成体を埋設する埋設穴を掘削する穴掘削工程と、
前記埋設穴の底部に基礎層を形成する基礎層形成工程と、
前記基礎層上に前記排水設備構成体を載置する構成体載置工程と、
前記排水設備構成体の側面に、前記集水流入空間部の外面側開口を塞ぐ状態で前記フィルター部材を装着するフィルター装着工程と、
基礎層上に載置された前記排水設備構成体の側方に舗装材を敷設する舗装工程と、を含み、
前記舗装工程では、排水設備構成体と舗装材との間にフィルター部材を介在させ、前記集水流入空間部の集水流入口を舗装道路の路面に露出させることを特徴とする舗装道路の施工方法。
【請求項４】
前記請求項１または請求項２に記載の排水設備構成体を含んで構成される排水設備を備えた舗装道路の施工方法であって、
前記排水設備構成体を埋設する埋設穴を掘削する穴掘削工程と、
前記埋設穴の底部に基礎層を形成する基礎層形成工程と、
前記基礎層上に、前記フィルター部材が前記集水流入空間部の外面側開口を塞ぐ状態で予め装着された前記排水設備構成体を載置する構成体載置工程と、
前記基礎層上に載置された前記排水設備構成体の側方に舗装材を敷設する舗装工程と、を含み、
前記舗装工程では、排水設備構成体と舗装材との間にフィルター部材を介在させ、前記集水流入空間部の集水流入口を舗装道路の路面に露出させることを特徴とする舗装道路の施工方法。
【請求項５】
前記舗装工程では、透水性舗装材を舗装道路の表層として敷設し、該透水性舗装材と排水設備構成体との間にフィルター部材を介在させたことを特徴とする請求項３または請求項４に記載の舗装道路の施工方法。
【発明の詳細な説明】
【技術分野】
【０００１】
本発明は、舗装道路上の水が流れ込む側溝ブロックや集水桝等の排水設備構成体、および、この排水設備構成体を含んで構成される排水設備を備えた舗装道路の施工方法に関する。
【背景技術】
【０００２】
従来、舗装道路の路肩には、側溝ブロックや集水桝等の排水設備構成体で構成された排水設備を備え、舗装道路上の水（雨水など）を排水できるようになっている。また、近年では、透水性舗装材を舗装道路の表層として敷設して、舗装道路内に水を浸透させてから排水設備へ受け入れ可能とし、良好な排水機能を有する舗装道路（水捌けの良い舗装道路）を施工することが多くなっている。そして、排水設備構成体に開設された集水口には排水フィルターを装着し、該排水フィルターにより集水口への水の流入を許容する一方、舗装材の侵入を阻止することが提案されている（例えば、特許文献１参照）。
【先行技術文献】
【特許文献】
【０００３】
【特許文献１】特開２００４−１８３２１６号公報
【発明の概要】
【発明が解決しようとする課題】
【０００４】
ところで、舗装道路の排水設備においては、舗装道路内への水の浸透の可否に拘らず、排水経路の受入口を舗装道路と排水設備構成体との境界部分から舗装道路の路面に露出させれば、舗装道路上の水を迅速に排水設備構成体へ受け入れることができて好ましい。
【０００５】
また、舗装道路においては、所謂舗装痩せにより舗装道路の縁部が沈下して排水設備構成体との境界部分に段差が生じることがある。排水経路の受入口を舗装道路と排水設備構成体との境界部分に設定していない場合には、この段差に水が溜まってしまい、舗装道路の排水機能が低下してしまう。
【０００６】
本発明は、上記した事情に鑑みてなされたものであり、その目的は、舗装道路と排水設備構成体との境界部分に舗装道路の排水経路の入口を設定することができ、また、所謂舗装痩せが生じて舗装道路と排水設備構成体との境界部分に段差が生じたとしても、舗装道路の排水機能が低下してしまう不都合を抑制することができる排水設備の排水設備構成体、および、この排水設備構成体を含んで構成される排水設備を備えた舗装道路の施工方法を提供しようとするものである。
【課題を解決するための手段】
【０００７】
本発明は、上記目的を達成するために提案されたものであり、請求項１に記載のものは、排水流路を内部に有し、該排水流路に舗装道路上の水を流入させる排水設備構成体であって、
該排水設備構成体の外側面に、前記排水流路側に向けて肉厚方向の途中まで窪ませて上面側および外面側が開口した集水流入空間部を形成し、
該集水流入空間部を、前記排水流路に連通させ、
水の流入を許容する一方、舗装材の侵入を阻止する通水孔が開設されたフィルター部材を、前記集水流入空間部の外面側開口を塞ぐ状態で排水設備構成体の外側面に装着することで、該集水流入空間部の上部に、水を受け入れ可能な集水流入口が形成されるように構成し、
当該集水流入口が前記舗装道路の路面に露出するようにしたことを特徴とする排水設備構成体である。
【０００８】
請求項２に記載のものは、前記集水流入空間部の上部に、複数の突起部を互いに間隔を空けて横並びで形成して、複数の集水流入口が形成されるように構成し、
前記集水流入空間部の両側面部と突起並設方向の両端部に位置する突起部との間隔、および、隣り合う突起部同士の間隔を、水の流入を許容する一方、舗装材の侵入を阻止する寸法に設定したことを特徴とする請求項１に記載の排水設備構成体である。
【０００９】
請求項３に記載のものは、前記請求項１または請求項２に記載の排水設備構成体を含んで構成される排水設備を備えた舗装道路の施工方法であって、
前記排水設備構成体を埋設する埋設穴を掘削する穴掘削工程と、
前記埋設穴の底部に基礎層を形成する基礎層形成工程と、
前記基礎層上に前記排水設備構成体を載置する構成体載置工程と、
前記排水設備構成体の側面に、前記集水流入空間部の外面側開口を塞ぐ状態で前記フィルター部材を装着するフィルター装着工程と、
基礎層上に載置された前記排水設備構成体の側方に舗装材を敷設する舗装工程と、を含み、
前記舗装工程では、排水設備構成体と舗装材との間にフィルター部材を介在させ、前記集水流入空間部の集水流入口を舗装道路の路面に露出させることを特徴とする舗装道路の施工方法である。
【００１０】
請求項４に記載のものは、前記請求項１または請求項２に記載の排水設備構成体を含んで構成される排水設備を備えた舗装道路の施工方法であって、
前記排水設備構成体を埋設する埋設穴を掘削する穴掘削工程と、
前記埋設穴の底部に基礎層を形成する基礎層形成工程と、
前記基礎層上に、前記フィルター部材が前記集水流入空間部の外面側開口を塞ぐ状態で予め装着された前記排水設備構成体を載置する構成体載置工程と、
前記基礎層上に載置された前記排水設備構成体の側方に舗装材を敷設する舗装工程と、を含み、
前記舗装工程では、排水設備構成体と舗装材との間にフィルター部材を介在させ、前記集水流入空間部の集水流入口を舗装道路の路面に露出させることを特徴とする舗装道路の施工方法である。
【００１１】
請求項５に記載のものは、前記舗装工程では、透水性舗装材を舗装道路の表層として敷設し、該透水性舗装材と排水設備構成体との間にフィルター部材を介在させたことを特徴とする請求項３または請求項４に記載の舗装道路の施工方法である。
【発明の効果】
【００１２】
本発明によれば、以下のような優れた効果を奏する。
請求項１，３，４に記載の発明によれば、排水設備構成体の外側面に、排水流路側に向けて肉厚方向の途中まで窪ませて上面側および外面側が開口した集水流入空間部を形成し、該集水流入空間部を、排水流路に連通させ、水の流入を許容する一方、舗装材の侵入を阻止する通水孔が開設されたフィルター部材を、集水流入空間部の外面側開口を塞ぐ状態で排水設備構成体の外側面に装着することで、該集水流入空間部の上部に、水を受け入れ可能な集水流入口が形成されるように構成し、当該集水流入口が舗装道路の路面に露出するようにしたので、舗装道路と排水設備構成体との境界部分に舗装道路の排水経路の入口を設定することができる。したがって、舗装道路の表層が透水性であるか不透水性であるかに拘らず何れの場合においても、舗装道路上の水を迅速に排水設備構成体へ受け入れることができ、良好な排水機能を有する舗装道路を実現することができる。また、所謂舗装痩せにより舗装道路の縁部が沈下して排水設備構成体との境界部分に段差が生じたとしても、フィルター本体の上部に開設された通水孔がこの段差箇所に露出するため、舗装痩せ部分に溜まろうとする水を露出状態の通水孔へ通して排水設備構成体に受け入れることができる。これにより、舗装痩せ部分に水が溜まってしまうことがなく、舗装道路の排水機能が低下してしまう不都合を抑制することができる。
【００１３】
請求項２によれば、集水流入空間部の上部に、複数の突起部を互いに間隔を空けて横並びで形成して、複数の集水流入口が形成されるように構成し、集水流入空間部の両側面部と突起並設方向の両端部に位置する突起部との間隔、および、隣り合う突起部同士の間隔を、水の流入を許容する一方、舗装材の侵入を阻止する寸法に設定したので、舗装材等の異物が、集水流入口から集水流入空間部内に侵入することが抑制される。
【００１４】
請求項５に記載の発明によれば、透水性舗装材を舗装道路の表層として敷設し、該透水性舗装材と排水設備構成体との間にフィルター部材を介在させたので、透水性舗装材内に浸透した水をフィルター本体の通水孔に通して集水流入空間部へ流入させることができる。したがって、一層良好な排水機能を有する舗装道路を実現することができる。しかも、施工時に舗装材がフィルター部材を通って集水流入空間部に侵入してしまう不都合がない。
【図面の簡単な説明】
【００１５】
【図１】フィルター部材を装着した側溝ブロックの説明図であり、（ａ）は正面図、（ｂ）は平面図、（ｃ）は側面図である。
【図２】フィルター部材の説明図であり、（ａ）は正面図、（ｂ）は平面図、（ｃ）は（ａ）のＡ−Ａ断面図である。
【図３】側溝ブロックの側壁部の上部における集水流入空間部の近傍の要部斜視図であり、（ａ）はフィルター部材を装着する前の状態を示す図、（ｂ）はフィルター部材を装着した状態を示す図である。
【図４】側溝ブロックを路肩に配置した舗装道路の施工手順の概略図であり、（ａ）は側溝ブロックを埋設する埋設穴を掘削する説明図、（ｂ）は埋設穴に基礎層を形成する説明図、（ｃ）は基礎層上に側溝ブロックを載置する説明図、（ｄ）は埋設穴と側溝ブロックとの隙間を埋める説明図、（ｅ）は側溝ブロックの側方を舗装する説明図である。
【図５】舗装道路の排水の流れを示す説明図である。
【図６】舗装痩せが発生した舗装道路の部分断面図である。
【図７】表層を不透水性舗装材で舗装した舗装道路の部分断面図である。
【図８】フィルター部材の変形例について説明する斜視図であり、（ａ）はフィルター部材を側溝ブロックに装着する前の状態を示す図、（ｂ）はフィルター部材を側溝ブロックに装着した状態を示す図である。
【図９】集水流入空間部の変形例について説明する斜視図であり、（ａ）はフィルター部材を側溝ブロックに装着する前の状態を示す図、（ｂ）はフィルター部材を側溝ブロックに装着した状態を示す図である。
【図１０】嵌合凹部にフィルター部材を嵌合した側溝ブロックの部分拡大図であり、（ａ）は正面図、（ｂ）は平面図、（ｃ）は断面図である。
【図１１】断面が円形状の排水流路を備えた側溝ブロックの側面にフィルター部材を装着した状態の概略図であり、（ａ）は正面図、（ｂ）は側面図である。
【図１２】上面が道路の境界として機能する側溝ブロックユニットの側面にフィルター部材を装着した状態の概略図である。
【図１３】上部が縁石として機能する側溝ブロックユニットの側面にフィルター部材を装着した状態の概略図であり、（ａ）は下側ブロックに排水流路を形成した場合の概略図、（ｂ）は下側ブロックおよび上側ブロックに排水流路を形成した場合の概略図である。
【図１４】側面に集水口が開設された集水桝の側面にフィルター部材を装着した状態の概略図である。
【図１５】Ｌ形側溝ブロックユニットの側面にフィルター部材を装着した状態の概略図であり、（ａ）はＬ形側溝に集水口を開設した場合の概略図、（ｂ）は排水桝に集水口を開設した場合の概略図である。
【図１６】路肩ブロックユニットの側面にフィルター部材を装着した状態の概略図であり、（ａ）は側面図、（ｂ）は背面図である。
【発明を実施するための形態】
【００１６】
以下、舗装道路の排水設備を構成する側溝ブロックを代表的な排水設備構成体として例に挙げて、本発明を実施するための形態を図面に基づいて説明する。
図１は、フィルター部材を装着した側溝ブロックの説明図であり、（ａ）は正面図、（ｂ）は平面図、（ｃ）は側面図である。図２は、フィルター部材の説明図であり、（ａ）は正面図、（ｂ）は平面図、（ｃ）は（ａ）のＡ−Ａ断面図である。図３は、側溝ブロック１の側壁部３の上部における集水流入空間部５の近傍の要部斜視図であり、（ａ）はフィルター部材を装着する前の状態を示す図、（ｂ）はフィルター部材を装着した状態を示す図である。
【００１７】
本実施形態における排水設備は、側溝ブロック１、蓋材７、およびフィルター部材１２から概略構成される。側溝ブロック１は、図１に示すように、底面部２と、該底面部２の左右両側縁から立設した左右の側壁部３とから概略構成されたコンクリート製の樋体であり、底面部２と両側壁部３とに囲まれた空部を排水流路４としている。また、両側壁部３の上部を下部よりも厚肉に設定するとともに、該上部の内側を切り欠いて蓋支持部６を形成し、両側壁部３の蓋支持部６の間に蓋材７を載置し、該蓋材７により排水流路４を上方から塞ぐように構成されている。
【００１８】
側溝ブロック１の一側（図１（ａ）中、右側）に位置する側壁部３の上部の厚肉部分には、外面側から内面側（排水流路４側）に向けて壁厚の途中まで窪ませて集水流入空間部５を形成してある。この集水流入空間部５は、図３（ａ）に示すように、底部５ａと両側面部５ｂと背面部５ｃとによって画成され、上面側と側壁部３の側面側（外面側）の２面が開口した空部である。この集水流入空間部５の外面側開口の縦方向および横方向の寸法は、後述するフィルター部材１２の対応する各方向の寸法よりもそれぞれ小さく設定してある。また、排水流路４の上部に連通する集水路１０を、側壁部３の厚さ方向に貫通させ、集水路１０の上流開口となる集水口１１を集水流入空間部５の背面部５ｃ内に開設している。これにより、側溝ブロック１の側方或いは上方から集水流入空間部５に流入した水が、集水口１１から集水路１０を通って排水流路４へ流れるようになっている。なお、集水路１０の下流部となる排水流路４側の部分は、蓋支持部６に形成された溝を蓋材７で上方から塞いで構成されており、蓋材７と側壁部３との隙間に入り込んで蓋支持部６上に到達した水が集水路１０の下流部に流入できるようになっている。
【００１９】
側壁部３における集水流入空間部５の外面側開口周縁部には、耐熱性材質（耐熱樹脂や金属等）で構成されたフィルター部材１２が、該外面側開口を塞ぐ状態で装着される。フィルター部材１２は、図２に示すように、格子状に形成されて複数の通水孔１４ａが開設された平板状のフィルター本体１４と、該フィルター本体１４の両側部に位置する縦長短冊状の止着部１５とを一体的に備えて構成されている。このフィルター部材１２は、当該フィルター部材１２の上縁部を側壁部３の上縁部に揃えた状態で装着される。このフィルター部材１２を側溝ブロック１の側壁部３に装着すると、集水口１１とフィルター本体１４との間に集水流入空間部５が介在する。このフィルター部材１２の通水孔１４ａを、集水流入空間部５への水の流入を許容する一方、後述する舗装道路Ｒ（図４（ｅ）参照）の舗装材（骨材）の侵入を阻止する開口広さに設定している。
【００２０】
また、フィルター部材１２を側溝ブロック１の側壁部３に装着した状態では、集水流入空間部５の上部に、当該集水流入空間部５の上面側開口である集水流入口８が開口する（図３（ｂ）参照）。そして、この集水流入口８は、舗装道路Ｒの路面に露出するように構成されている（図４（ｅ）参照）。
【００２１】
次に、側溝ブロック１で構成された側溝を路肩に備えた舗装道路Ｒの施工手順について、図４に基づき説明する。
まず、図４（ａ）に示すように、路床３０に、側溝ブロック１を複数個並べて埋設するための溝状の埋設穴３１を側溝ブロック１の幅（長手方向とは直交する方向に沿う幅）よりも広い幅で掘削する（穴掘削工程）。さらに、図４（ｂ）に示すように、この埋設穴３１の底部にコンクリートを打設して、側溝ブロック１が載置される基礎層３２を形成する（基礎層形成工程）。基礎層形成工程においては、基礎層３２を上面が側溝の下流側に設けられる集水桝（図示せず）へ向けて下り傾斜する状態で打設し、側溝ブロック１を基礎層３２上へ載置すると排水流路４が集水桝へ向けて下り傾斜するように構成する。
【００２２】
埋設穴３１内に基礎層３２を形成したならば、基礎層３２上に敷モルタル３３を敷設し、この敷モルタル３３上に複数の側溝ブロック１を載置する（側溝ブロック載置工程（本発明における構成体載置工程に相当））。具体的に説明すると、側溝ブロック載置工程においては、複数の側溝ブロック１を排水流路４が埋設穴３１の長手方向に沿って延在した姿勢であり、尚且つ蓋支持部６が側溝ブロック１の上側に位置する姿勢とする。また、蓋支持部６に蓋材７を載置して排水流路４を上方から覆う。なお、蓋材７を載置する作業は、側溝ブロック１を基礎層３２上に載置する前に行ってもよいが、側溝ブロック載置工程で側溝ブロック１を吊り上げる最中に蓋材７が落下する虞があるため、基礎層３２上への載置後に実行することが好適である。
【００２３】
側溝ブロック１を基礎層３２上に載置したならば、図４（ｃ）に示すように、側壁部３における集水流入空間部５の外面側開口周縁部に、フィルター部材１２の止着部１５を両面テープや接着剤などの止着材を用いて止着する。この際、図３（ｂ）に示すように、側壁部３の上縁部にフィルター部材１２の上縁を揃えるとともに集水流入空間部５の外面側開口を塞ぐ状態で側溝ブロック１にフィルター部材１２を装着する（フィルター装着工程）。これにより、集水口１１とフィルター本体１４との間には集水流入空間部５が介在し、該集水流入空間部５を介して通水孔１４ａと集水口１１とが連通する。さらに、集水流入空間部５の上部に開設された集水流入口８が側溝ブロック１の上縁に揃う状態で位置する。
【００２４】
なお、フィルター装着工程においては、図４（ｃ）に示すように、埋設穴３１の上側開口縁（言い換えると路床３０の表面）が集水口１１の下縁部よりも下方に位置すれば、路床３０が邪魔にならずにフィルター部材１２を装着し易くなるが、本発明はこれに限定されない。要は、フィルター部材１２を側溝ブロック１に装着できれば、埋設穴３１の上側開口縁と集水口１１の上下位置関係はどのように設定してもよい。
【００２５】
側溝ブロック１にフィルター部材１２を装着して集水流入空間部５の外面側開口を覆ったならば、埋設穴３１と側溝ブロック１との間隙を土砂やコンクリートなどで埋め戻す（図４（ｄ）参照）。そして、側溝ブロック１の側方に砕石やアスファルト合材等の舗装材を複数層に分けて敷設する（舗装工程）。具体的には、図４（ｅ）に示すように、路床３０の表面に砕石等の舗装材を路盤３６（下層路盤３６ａおよび上層路盤３６ｂ）として敷設し、路盤３６の表面には、不透水性舗装材を基層３７として敷設し、基層３７の表面をフィルター部材１２側へ向けて緩やかに下り傾斜した状態に設定し、基層３７の表面の傾斜下端を集水流入空間部５の側方であり、且つ集水口１１よりも上方に位置させる。さらに、基層３７の表面には透水性舗装材を表層３８として敷設し、該表層３８の表面（言い換えると、舗装道路Ｒの路面）を側溝ブロック１側へ緩やかに下り傾斜した状態であり、且つ傾斜下端が側壁部３の上縁に揃うように設定する。
【００２６】
また、舗装工程では、側溝ブロック１と舗装材との間に装着状態のフィルター部材１２を介在させ、集水流入空間部５の集水流入口８を舗装道路Ｒの路面に露出させる。したがって、舗装道路Ｒと側溝ブロック１との境界部分に舗装道路Ｒの排水経路の入口を設定することができる。このようにして施工された舗装道路Ｒにおいては、雨が降る等して路面に水が溜まろうとすると、この水は、図５に示すように、表層（透水性舗装材）３８の内部に浸透して基層（不透水性舗装材）３７の傾斜上面まで到達し、この傾斜上面を側溝ブロック１側に向かって流下する。そして、表層（透水性舗装材）３８と側溝ブロック１との間に介在するフィルター部材１２の通水孔１４ａを通って集水流入空間部５に流入し、さらには集水口１１、集水路１０を通って排水流路４に排水される。また、大雨が降る等して水が表層３８の内部に浸透しきれない場合には、表層３８上の水が側溝ブロック１側に向かって流れる。このとき、舗装道路Ｒと側溝ブロック１との境界部分に舗装道路Ｒの排水経路の入口を設定しているので、舗装道路Ｒ上の水を迅速に集水流入口８から集水流入空間部５へと流下させ、集水口１１、集水路１０に通して側溝ブロック１の排水流路４へ受け入れることができる。したがって、良好な排水機能を有する舗装道路Ｒ（水捌けのよい舗装道路Ｒ）を実現することができる。
【００２７】
また、図６に示すように、所謂舗装痩せにより舗装道路Ｒの表層３８の縁部（側溝ブロック１側の縁部）が沈下して側溝ブロック１との境界部分に段差が生じることが考えられる。しかしながら、この段差が生じたとしても、フィルター本体１４の上部に開設された通水孔１４ａがこの段差箇所に露出するため、舗装痩せ部分に溜まろうとする水を露出状態の通水孔１４ａから集水流入空間部５を通して側溝ブロック１に受け入れることができる。これにより、舗装痩せ部分に水が溜まってしまうことがなく、舗装道路Ｒの排水機能が低下してしまう不都合を抑制することができる。
【００２８】
なお、フィルター部材１２は、舗装道路Ｒの施工現場で側溝ブロック１を基礎層３２に載置する前に予め装着してもよい。すなわち、舗装道路Ｒの施工を開始する前にフィルター部材１２の装着を行えば、舗装道路Ｒの施工においてはフィルター装着工程を実行しなくてもよい。また、舗装道路Ｒの施工現場でフィルター部材１２を側溝ブロック１に装着することに限定されない。例えば、工場において側溝ブロック１にフィルター部材１２を装着し、この状態で出荷された側溝ブロック１を舗装道路Ｒの施工現場に搬入してもよい。さらに、フィルター部材１２としては、本実施形態で例示したものには限られず、集水流入空間部５の外面側開口を塞ぐことが可能な寸法に設定され、集水流入空間部５への水の流入を許容する一方、舗装道路Ｒの舗装材の侵入を阻止する開口広さに設定された通水孔を有するフィルター材であれば、既存の種々のものを採用することができる。
【００２９】
図８は、フィルター部材１２の変形例について説明する斜視図であり、（ａ）は側溝ブロック１にフィルター部材１２を装着する前の状態を示す図、（ｂ）は側溝ブロック１にフィルター部材１２を装着した状態を示す図である。この変形例におけるフィルター部材１２は、格子状のフィルター本体１４の上端部から側溝ブロック１の側面側に向けて庇部１６を延出している点に特徴を有している。すなわち、このフィルター部材１２は、格子状のフィルター本体１４のうち、縦向き仕切り部および止着部１５の上部を略直角に屈曲して、屈曲部分から先を庇部１６としている。したがって、このフィルター部材１２は、側方視で逆Ｌ字状を呈する。また、庇部１６における仕切り部同士の間隙、および、止着部１５とこれに隣り合う仕切り部との間隙は、水の流入を許容する一方、舗装道路Ｒの舗装材の侵入を阻止する寸法に設定し、これらの間隙が通水孔１４ａとして機能するように構成している。そして、側壁部３の上面に庇部１６を係止させると共に集水流入空間部５の外面側開口を覆う状態で側溝ブロック１にフィルター部材１２を装着すると、図８（ｂ）に示すように、集水流入空間部５の上部には、庇部１６の通水孔１４ａによる複数の集水流入口８が画成される。このように構成することで、舗装道路Ｒの舗装材等の異物が、集水流入口８から集水流入空間部５内に侵入することが抑制される。
【００３０】
次に、集水流入空間部５の変形例について説明する。
図９は、集水流入空間部５の変形例について説明する斜視図であり、（ａ）はフィルター部材１２を側溝ブロック１に装着する前の状態を示す図、（ｂ）はフィルター部材１２を側溝ブロック１に装着した状態を示す図である。この変形例における集水流入空間部５は、その上部に複数（図９の例では、４つ）のリブ状の突起部１７を備えている点に特徴を有している。各突起部１７は、集水流入空間部５の上部開口側（側壁部３の上縁側）から下方の集水口１１に向けて、集水流入空間部５の高さ方向の途中まで延びている。集水流入空間部５の背面部５ｃからの突起部１７の突出寸法は、集水流入空間部５の深さ（側壁部３の外面側から内面側への後退量）に揃えている。これらの突起部１７は、側壁部３の長手方向に沿って互いに間隔を空けて複数横並びで形成している。また、集水流入空間部５の側面部５ｃと、各突起部１７のうちの両端部に位置する突起部１７との間隔、および、隣り合う突起部１７同士の間隔を、水の流入を許容する一方、舗装道路の舗装材の侵入を阻止する寸法に設定している。また、突起部１７の幅（突起並設方向の幅）は、隣り合う突起部同士の間隔と揃えてある。
【００３１】
そして、側壁部３の上縁部にフィルター部材１２の上縁を揃えると共に集水流入空間部５の外面側開口を覆う状態で側溝ブロック１にフィルター部材１２を装着すると、集水流入空間部５の上部には、複数の集水流入口８が側溝ブロック１の上縁に揃う状態で形成される。このように構成することで、舗装道路Ｒの舗装材等の異物が、集水流入口８から集水流入空間部５内に侵入することが抑制される。また、フィルター部材１２としては、一般的な平板状のものを使用することができる。なお、突起部１７の形状・寸法、およびその形成数については例示したものには限られない。要は、側溝ブロック１にフィルター部材１２を装着した状態で、水の流入を許容する一方、舗装道路Ｒの舗装材の侵入を阻止する寸法に設定された集水流入口８が集水流入空間部５の上部に形成されるものであれば良い。
【００３２】
ところで、上記実施形態では、表層３８として透水性舗装材を敷設した舗装道路Ｒを例示したが、本発明はこれに限定されない。例えば、図７に示すように、フィルター部材１２が装着された側溝ブロック１の側方に、水が内部に浸透しない舗装道路Ｒ、具体的には、基層３７から表層３８までを不透水性舗装材で構成した舗装道路Ｒを施工し、不透水性舗装材と側溝ブロック１との間に集水流入口８を路面に露出させてもよい。このような不透水性の舗装道路Ｒにおいては、雨が降る等して路面に水が溜まろうとすると、この水は、路面に沿って側溝ブロック１側に向かって流れる。このとき、舗装道路Ｒと側溝ブロック１との境界部分に舗装道路Ｒの排水経路の入口を設定しているので、舗装道路Ｒ上の水を迅速に集水流入口８から集水流入空間部５に流入させることができ、さらには集水流入空間部５から集水口１１、集水路１０に通して側溝ブロック１の排水流路４へ受け入れることができる。したがって、水が内部に浸透しない舗装道路Ｒであったとしても、良好な排水性を実現することができる。
【００３３】
また、不透水性の舗装道路Ｒにおいて、所謂舗装痩せにより表層３８の縁部（側溝ブロック１側の縁部）が沈下して側溝ブロック１との境界部分に段差が生じたとしても、フィルター本体１４の上部に開設された通水孔１４ａがこの段差箇所に露出するため、舗装痩せ部分に溜まろうとする水を露出状態の通水孔１４ａへ通して集水流入空間部５内に受け入れることができる。これにより、舗装痩せ部分に水が溜まってしまうことがなく、舗装道路Ｒの排水機能が低下してしまう不都合を抑制することができる。
【００３４】
さらに、上記実施形態の側溝ブロック１では、側面にフィルター部材１２が嵌合される凹み部を形成していないが、本発明はこれに限定されない。例えば、図１０に示すように、側溝ブロック１のうちフィルター部材１２が装着される側面であって、集水流入空間部５の外面側開口の周縁に、フィルター部材１２が嵌合可能な寸法であって、凹み深さを集水流入空間部５の深さよりも浅く設定した嵌合凹部４１を形成してもよい。フィルター部材１２を嵌合凹部４１へ嵌合して側溝ブロック１に装着すれば、フィルター部材１２の位置決めが容易になり、フィルター部材１２の装着作業を迅速に行うことができる。しかも、フィルター部材１２が側溝ブロック１の側面から大きく出っ張った状態で装着されずに済み、フィルター部材１２が障害物に当たって損傷したり、側溝ブロック１から脱落したりする不都合を抑制することができる。
【００３５】
また、上記各実施形態では、排水設備構成体として、断面が矩形状の排水流路４を備えた側溝ブロック１を例示したが、本発明はこれに限定されない。例えば、図１１に示すように、断面が円形状の排水流路４を備えた側溝ブロック１にも本発明を適用することができる。すなわち、当該側溝ブロック１の一側（図１１（ａ）中、右側）に位置する側壁部３の上部の厚肉部分に、外面側から内面側（排水流路４側）に向けて壁厚の途中まで窪ませて集水流入空間部５を形成し、該集水流入空間部５の外面側開口をフィルター部材１２で覆う構成とすることもできる。また、図１２〜図１４に示すように、上下に重なる状態で配置されるブロック（上側ブロック４５および下側ブロック４６）を組み合わせて側溝ブロックユニット４７（排水設備構成体の一種）とし、上側ブロック４５と下側ブロック４６とを上下に離間して集水路４９および集水口５０を設定する構成においても、本発明を適用することができる。この場合、上側ブロック４５の側面に集水流入空間部５を形成し、この集水流入空間部５を塞ぐ状態でフィルター部材１２を装着すれば良い。
【００３６】
なお、図１２に示すように、上側ブロック４５の上面を舗装道路Ｒの路面に揃えて配置し、上側ブロック４５の上面が道路の境界、例えば自転車専用道路ＲＢと自動車専用道路ＲＭとの境界として機能するようにしてもよい。また、図１３に示すように、上側ブロック４５の上部を舗装道路Ｒの路面から突出させて縁石として機能させるようにしてもよい。この構成では、集水流入空間部５の上端が、舗装道路Ｒの路面よりも上方に位置するように設定することで、舗装道路Ｒの路面と上側ブロック４５との境界部分に舗装道路Ｒの排水経路の入口である集水流入口８を配置することができる。さらに、側溝ブロックユニット４７内に形成される排水流路５１は、下側ブロック４６の上面のみを凹ませて形成してもよいし（図１２および図１３（ａ）参照）、下側ブロック４６の上面および上側ブロック４５の下面の両方を凹ませて形成してもよい（図１３（ｂ）参照）。
【００３７】
そして、図１４に示す側溝ブロックユニット（Ｌ形側溝ブロックユニット）４７のように、上側ブロック４５の側面に集水流入空間部５を形成するとともに、上側ブロック４５の下面を切り欠いて集水路４９を形成して集水流入空間部５に連通させ、集水流入空間部５を覆う状態でフィルター部材１２を装着してもよい（図１４（ａ）参照）。或いは、上側ブロック４５の側面に集水流入空間部５を形成するとともに、下側ブロック４６の上面を切り欠いて集水路４９を形成して集水流入空間部５に連通させ、当該集水流入空間部５を覆う状態でフィルター部材１２を装着してもよい（図１４（ｂ）参照）。
【００３８】
さらに、本発明におけるフィルター部材が装着される排水設備構成体は、側溝を形成する構成体であることに限定されない。要は、舗装道路Ｒ上の水を受け入れるための集水口が側面に開設された排水設備構成体であればよい。例えば、図１５に示すように、側溝の下流端に接続される集水桝５４のうち舗装道路Ｒ側の側面に、集水流入空間部５を排水流路５５に連通する状態で形成し、該集水流入空間部５の外面側開口を覆う状態でフィルター部材１２を装着してもよい。また、図１６に示すように、路肩ブロック５８と、該路肩ブロック５８を載置する基礎層５９および敷モルタル６０とで路肩部６１を構成し、該路肩部６１には集水路６２を舗装道路Ｒ側から路肩部６１の側方へ貫通するとともに、該集水路６２に連通する状態で舗装道路Ｒ側の側面に集水流入空間部５を形成し、該集水流入空間部５を覆う状態でフィルター部材１２を装着してもよい。
【００３９】
なお、上記フィルター部材が装着される排水設備構成体を用いて排水設備を施工する場面は、新規に排水設備を施工する場面でもよいし、既存の排水設備を改めて施工し直す維持管理工事の場面でもよい。
【符号の説明】
【００４０】
１  側溝ブロック
２  底面部
３  側壁部
４  排水流路
５  集水流入空間部
５ａ  底部
５ｂ  側面部
５ｃ  背面部
６  蓋支持部
７  蓋材
８  集水流入口
１０  集水路
１１  集水口
１２  フィルター部材
１４  フィルター本体
１４ａ  通水孔
１５  止着部
１６  庇部
１７  リブ状部
３０  路床
３１  埋設穴
３２  基礎層
３３  敷モルタル
３６  路盤
３６ａ  下層路盤
３６ｂ  上層路盤
３７  基層
３８  表層
４１  嵌合凹部
４５  上側ブロック
４６  下側ブロック
４７  側溝ブロックユニット
４９  集水路
５０  集水口
５１  排水流路
５４  集水桝
５６  集水口
５８  路肩ブロック
５９  基礎層
６０  敷モルタル
６１  路肩部
６２  集水路
【図１】
2013234466.tif 000003
【図２】
2013234466.tif 000004
【図３】
2013234466.tif 000005
【図４】
2013234466.tif 000006
【図５】
2013234466.tif 000007
【図６】
2013234466.tif 000008
【図７】
2013234466.tif 000009
【図８】
2013234466.tif 000010
【図９】
2013234466.tif 000011
【図１０】
2013234466.tif 000012
【図１１】
2013234466.tif 000013
【図１２】
2013234466.tif 000014
【図１３】
2013234466.tif 000015
【図１４】
2013234466.tif 000016
【図１５】
2013234466.tif 000017
【図１６】
2013234466.tif 000018